(57)【要約】      （修正有）【課題】弾性付きロッドは、最高の撓み曲率、最も均一な引張力及び最大の引張力を形成することが可能であり、そして網の寿命を延長することが可能なボールスポーツ用網を提供する。【解決手段】外側へ斜めに張っている二つの斜め張り金属管２１，２２と、連接端がそれぞれ設けられており、連接端に斜め張り金属管２１，２２を挿入して固定することが可能な二つの弾性付きロッド３１，３２と、第１エッジ４１と第２エッジ４２とが設けられており、第１エッジ４１と第２エッジ４２を二つの弾性付きロッド３１，３２に嵌め設けることが可能であり、その四辺には、四辺を覆う樹脂シートが設けられている網４０と、樹脂シート、第１エッジ４１及び第２エッジ４２を挟む二つの網挟み皮と、各網挟み皮に設けられており、網挟み皮、樹脂シート、第１エッジ４１及び第２エッジ４２を固定するための固定構造と、を含む。【選択図】図１
0003186903.tif 000002
【実用新案登録請求の範囲】
【請求項１】
外側へ斜めに張っている二つの斜め張り金属管と、
連接端がそれぞれ設けられており、前記連接端に前記斜め張り金属管を挿入して固定することが可能な二つの弾性付きロッドと、
第１エッジと第２エッジとが設けられており、前記第１エッジと前記第２エッジを前記二つの弾性付きロッドに嵌め設けることが可能であり、その四辺には、前記四辺を覆う樹脂シートが設けられている網と、
前記樹脂シート、前記第１エッジ及び前記第２エッジを挟む二つの網挟み皮と、
前記各網挟み皮に設けられており、前記網挟み皮、前記樹脂シート、前記第１エッジ及び前記第２エッジを固定するための固定構造と、
を含み、
前記斜め張り金属管の長さは、前記弾性付きロッドの長さより長く、これにより、最高の撓み曲率、最も均一な引張力及び最大の引張力を形成することが可能であり、
前記二つの弾性付きロッドの曲がりによる均一な引張力により、前記網を均一に引張ることが可能であり、
前記固定構造を使用することにより、応力が均一に分散され、前記網の寿命を延長することが可能であることを特徴とするボールスポーツ用網。
【請求項２】
前記網は、バレーボール用網、バドミントン用網、ビーチバレーボール用網、野球練習用網、又はテニス用網であることを特徴とする、請求項１に記載のボールスポーツ用網。
【請求項３】
弾性付きロープは、前記台座と前記斜め張り金属管とを挿通しており、前記弾性付きロッドと結合しており、前記弾性付きロープにより、前記弾性付きロッドを迅速に脱着することが可能となることを特徴とする、請求項１に記載のボールスポーツ用網。
【請求項４】
前記弾性付きロッドの前記連接端は縮径チューブであり、これにより、前記斜め張り金属管に前記連接端を挿入することが可能であることを特徴とする、請求項１に記載のボールスポーツ用網。
【請求項５】
前記縮径チューブの周面に凹凸皺が複数設けられていることを特徴とする、請求項４に記載のボールスポーツ用網。
【請求項６】
前記弾性付きロッドは炭素繊維ロッドであることを特徴とする、請求項１に記載のボールスポーツ用網。
【請求項７】
前記弾性付きロッドはガラス繊維ロッドであることを特徴とする、請求項１に記載のボールスポーツ用網。
【請求項８】
前記弾性付きロッドは樹脂ロッドであることを特徴とする、請求項１に記載のボールスポーツ用網。
【請求項９】
前記網はサッカーゴール用網であり、前記サッカーゴール用網はゴールフレームを含み、前記ゴールフレームは、複数の金属管に複数の弾性付きロッドをそれぞれ挿入して構成され、前記ゴールフレームを利用したくない場合には、複数の金属管から複数の弾性付きロッドをそれぞれ引き出して収納状態にすることが可能であることを特徴とする、請求項１に記載のボールスポーツ用網。
【請求項１０】
前記網挟み皮の剛性は高いことを特徴とする、請求項１に記載のボールスポーツ用網。
【請求項１１】
二つの挟み片は、前記第１エッジ、又は前記第２エッジを挟んでおり、網挟み皮に挟まれており、少なくとも二つの釘に固定されていることを特徴とする、請求項１に記載のボールスポーツ用網。
【請求項１２】
前記釘は三つあることが好ましく、これにより、応力が前記三つの釘に分散されて、前記網の寿命を延長することが可能であることを特徴とする、請求項１１に記載のボールスポーツ用網。
【請求項１３】
前記第１エッジ又は前記第２エッジに円筒状エッジ包みが設けられており、前記円筒状エッジ包みに樹脂ロッドを挿通することが可能であり、前記円筒状エッジ包みの外周面には、固定構造であるメスベルクロと、前記網挟み皮と、が設けられており、前記網挟み皮は、剛性は高く、前記樹脂シートへの方向に固定構造であるオスベルクロが設けられており、前記オスベルクロは前記メスベルクロに脱着可能に粘着することが可能であり、前記オスベルクロは前記メスベルクロに粘着して前記網を引張っているときには、前記オスベルクロと前記メスベルクロが互いに逆の方向に引張られており、前記オスベルクロが前記樹脂ロッドの輪郭に沿って前記メスベルクロに粘着されているため、粘着面積が広く、引張力が弱められて、前記オスベルクロと前記メスベルクロの粘着力が増加することを特徴とする、請求項１に記載のボールスポーツ用網。
【考案の詳細な説明】
【技術分野】
【０００１】
本考案は、ボールスポーツ用網に関し、特に、金属管と弾性付きロッドの比例を最高することにより、弾性付きロッドは、最高の撓み曲率、最も均一な引張力及び最大の引張力を形成することが可能であり、網挟み皮、樹脂シート、第１エッジ及び第２エッジを固定するための少なくとも二つの釘を使用することにより、応力が分散され、網の寿命を延長することが可能なボールスポーツ用網に関するものである。
【背景技術】
【０００２】
従来の各種類のボールスポーツ（例えばテニス、バレーボール、ビーチバレーボールやバドミントンなど）は、網により球場を二つに分けることが必要である。前記網は、球場の両側に立設される二本の金属ロッドに取り付けられている。しかし、金属ロッドは弾性を有しないため、前記網を均一に引張ることができない。一方、金属ロッドが重くて曲げ難いため、機械を利用したいと金属ロッドを曲げることができず、そして金属ロッドを円弧状に加工することも容易ではない。
【０００３】
テニス、バレーボールやバドミントンなどのボールスポーツは、網により球場を二つに分けることが必要であり、従来の網の四周が樹脂シートに包まれているが、樹脂シートが極めて薄いため、より大きい引張力を受けることができない。そして引張力が前記網の両端の上下端に集中するため、前記網の両端の上下端が損壊しやすく、前記網の寿命は長くない。
【０００４】
従来のボールスポーツ用網の張設及び収納の方式は、極めて面倒であり、時間がかなり掛かるため、ユーザの運動意欲が弱められる欠点があった。
【考案の概要】
【考案が解決しようとする課題】
【０００５】
本考案の主な目的は、金属管と弾性付きロッドの比例を最高することにより、弾性付きロッドは、最高の撓み曲率、最も均一な引張力及び最大の引張力を形成することが可能であり、網挟み皮、樹脂シート、第１エッジ及び第２エッジを固定するための少なくとも二つの釘を使用することにより、応力が分散され、網の寿命を延長することが可能なボールスポーツ用網を提供することにある。
【課題を解決するための手段】
【０００６】
本考案のボールスポーツ用網によると、外側へ斜めに張っている二つの斜め張り金属管と、連接端がそれぞれ設けられており、連接端に斜め張り金属管を挿入して固定することが可能な二つの弾性付きロッドと、第１エッジと第２エッジとが設けられており、第１エッジと第２エッジを二つの弾性付きロッドに嵌め設けることが可能であり、その四辺には、四辺を覆う樹脂シートが設けられている網と、樹脂シート、第１エッジ及び第２エッジを挟む二つの網挟み皮と、各網挟み皮に設けられており、網挟み皮、樹脂シート、第１エッジ及び第２エッジを固定するための固定構造と、を含み、斜め張り金属管の長さは、弾性付きロッドの長さより長く、これにより、最高の撓み曲率、最も均一な引張力及び最大の引張力を形成することが可能であり、二つの弾性付きロッドの曲がりによる均一な引張力により、網を均一に引張ることが可能であり、二つ以上の釘を使用することにより、応力が均一に分散され、網の寿命を延長することが可能であることを特徴とする。
【０００７】
本考案のボールスポーツ用網によると、網は、バレーボール用網、バドミントン用網、ビーチバレーボール用網、野球練習用網、又はテニス用網であることを特徴とする。
【０００８】
本考案のボールスポーツ用網によると、弾性付きロープは、台座と斜め張り金属管とを挿通しており、弾性付きロッドと結合しており、弾性付きロープにより、弾性付きロッドを迅速に脱着することが可能となることを特徴とする。
【０００９】
本考案のボールスポーツ用網によると、弾性付きロッドの連接端は縮径チューブであり、これにより、斜め張り金属管に連接端を挿入することが可能であることを特徴とする。
【００１０】
本考案のボールスポーツ用網によると、縮径チューブの周面に凹凸皺が複数設けられていることを特徴とする。
【００１１】
本考案のボールスポーツ用網によると、弾性付きロッドは炭素繊維ロッドであることを特徴とする。
【００１２】
本考案のボールスポーツ用網によると、弾性付きロッドはガラス繊維ロッドであることを特徴とする。
【００１３】
本考案のボールスポーツ用網によると、弾性付きロッドは樹脂ロッドであることを特徴とする。
【００１４】
本考案のボールスポーツ用網によると、網はサッカーゴール用網であり、サッカーゴール用網はゴールフレームを含み、ゴールフレームは、複数の金属管に複数の弾性付きロッドをそれぞれ挿入して構成され、ゴールフレームを利用したくない場合には、複数の金属管から複数の弾性付きロッドをそれぞれ引き出して収納状態にすることが可能であることを特徴とする。
【００１５】
本考案のボールスポーツ用網によると、網挟み皮の剛性は高いことを特徴とする。
【００１６】
本考案のボールスポーツ用網によると、二つの挟み片は、第１エッジ、又は第２エッジを挟んでおり、網挟み皮に挟まれており、少なくとも二つの釘に固定されていることを特徴とする。
【００１７】
本考案のボールスポーツ用網によると、釘は三つあることが好ましく、これにより、応力が三つの釘に分散されて、網の寿命を延長することが可能であることを特徴とする。
【００１８】
本考案のボールスポーツ用網によると、第１エッジ又は第２エッジに円筒状エッジ包みが設けられており、円筒状エッジ包みに樹脂ロッドを挿通することが可能であり、円筒状エッジ包みの外周面には、固定構造であるメスベルクロと、網挟み皮と、が設けられており、網挟み皮は、剛性は高く、樹脂シートへの方向に固定構造であるオスベルクロが設けられており、オスベルクロはメスベルクロに脱着可能に粘着することが可能であり、オスベルクロはメスベルクロに粘着して網を引張っているときには、オスベルクロとメスベルクロが互いに逆の方向に引張られており、オスベルクロが樹脂ロッドの輪郭に沿ってメスベルクロに粘着されているため、粘着面積が広く、引張力が弱められて、オスベルクロとメスベルクロの粘着力が増加することを特徴とする。
【考案の効果】
【００１９】
本考案のボールスポーツ用網によれば、次のような効果がある。
（１）金属管と弾性付きロッドの比例を最高することにより、弾性付きロッドは、最高の撓み曲率、最も均一な引張力及び最大の引張力を形成することが可能である。
【００２０】
（２）網挟み皮、樹脂シート、第１エッジ及び第２エッジを固定するための少なくとも二つの釘を使用することにより、応力が分散され、網の寿命を延長することが可能である。
【図面の簡単な説明】
【００２１】
【図１】本考案がバドミントン用網に適用された実施例を示す斜視図である。
【図２】本考案がバドミントン用網に適用された実施例を示す正面図である。
【図３】本考案の弾性付きロッドが金属管に組み付けられている状態を示す分解斜視図である。
【図４】本考案がバレーボール用網に適用された実施例を示す正面図である。
【図５】本考案がテニス用網に適用された実施例を示す正面図である。
【図６】本考案が野球練習用網に適用された実施例を示す正面図である。
【図７】本考案が野球練習用網に適用された別の実施例を示す斜視図である。
【図８】本考案がサッカーゴールに適用された実施例を示す分解斜視図である。
【図９】本考案がサッカーゴールに適用された実施例を示す斜視図である。
【図１０】本考案の別の実施例を示す分解斜視図である。
【図１１】本考案の別の実施例を示す斜視図である。
【図１２】本考案の別の実施例を示す上面断面図である。
【図１３】本考案の別の実施例を示す正面図である。
【図１４】本考案の更に別の実施例を示す分解斜視図である。
【図１５】本考案の更に別の実施例を示す斜視図である。
【考案を実施するための最良の形態】
【００２２】
以下、本考案の実施の形態を図面に基づいて説明する。
図１から図３を参照する。図１は本考案がバドミントン用網に適用された実施例を示す斜視図であり、図２は本考案がバドミントン用網に適用された実施例を示す正面図であり、図３は本考案の弾性付きロッドが金属管に組み付けられている状態を示す分解斜視図である。本考案の一実施例のボールスポーツ用網は、床面に置かれている台座１０と、斜め張り金属管２１、２２と、弾性付きロッド３１、３２と、網４０と、を含む。
【００２３】
斜め張り金属管２１、２２は、それぞれ台座１０の両側に挿入されており、外側へ斜めに張っている。
【００２４】
弾性付きロッド３１、３２には、連接端３１１、３２１がそれぞれ設けられている。連接端３１１、３２１に斜め張り金属管２１、２２をそれぞれ挿入して固定することが可能である。斜め張り金属管２１、２２の長さは、弾性付きロッド３１、３２の長さより長い。これにより、弾性付きロッド３１、３２は、最高の撓み曲率、最も均一な引張力及び最大の引張力を形成することが可能である。
【００２５】
網４０は、バレーボール用網、バドミントン用網、ビーチバレーボール用網、野球練習用網、又はテニス用網などである。網４０は、第１エッジ４１と第２エッジ４２とが設けられており、第１エッジ４１と第２エッジ４２を弾性付きロッド３１、３２にそれぞれ嵌め設けることが可能である。弾性付きロッド３１、３２の曲がりによる均一な引張力により、網４０を均一に引張ることが可能である。
【００２６】
図３を参照する。弾性付きロープ８０は、本考案の台座１０と斜め張り金属管２１、２２とを挿通して、弾性付きロッド３１、３２と結合している。このように、弾性付きロッド３１、３２を迅速に脱着することが可能となる。弾性付きロッド３１、３２の連接端３１１、３２１は縮径チューブである。これにより、斜め張り金属管２１、２２の裏穴２１１に連接端３１１、３２１を挿入することが可能である。前記縮径チューブの周面に凹凸皺３１２が複数設けられている。このように、連接端３１１、３２１と斜め張り金属管２１、２２の組合せはもっと安定的となる。
【００２７】
図２を参照する。本考案は、バドミントン用網４０ａ、又はビーチバレーボール用網に適用することが可能である。この場合には、本考案のボールスポーツ用網は、斜め張り金属管２１、２２に弾性付きロッド３１、３２を挿入するための連接端３１１、３２１を含む。バドミントン用網４０ａの第１エッジ４１と第２エッジ４２とに弾性付きロッド３１、３２を嵌め設けることにより、弾性付きロッド３１、３２の曲がりによる均一な引張力によって、バドミントン用網４０ａを均一に引張ることが可能である。
【００２８】
図４を参照する。図４は本考案がバレーボール用網４０ｂに適用された実施例を示す正面図である。本考案は、バレーボール用網４０ｂ、又はビーチバレーボール用網に適用することが可能である。この場合には、本考案のボールスポーツ用網は、斜め張り金属管２１、２２に弾性付きロッド３１、３２を挿入するための連接端３１１、３２１を含む。バレーボール用網４０ｂの第１エッジ４１と第２エッジ４２とに弾性付きロッド３１、３２を嵌め設けることにより、弾性付きロッド３１、３２の曲がりによる均一な引張力によって、バレーボール用網４０ｂを均一に引張ることが可能である。
【００２９】
図５を参照する。図５は本考案がテニス用網４０ｃに適用された実施例を示す正面図である。本考案は、テニス用網４０ｃに適用することが可能である。この場合には、本考案のボールスポーツ用網は、斜め張り金属管２１、２２に弾性付きロッド３１、３２を挿入するための連接端３１１、３２１を含む。テニス用網４０ｃの第１エッジ４１と第２エッジ４２とに弾性付きロッド３１、３２を嵌め設けることにより、弾性付きロッド３１、３２の曲がりによる均一な引張力によって、テニス用網４０ｃを均一に引張ることが可能である。
【００３０】
図６及び図７を参照する。図６は本考案が野球練習用網に適用された実施例を示す正面図であり、図７は本考案が野球練習用網に適用された別の実施例を示す斜視図である。本考案は、野球練習用網４０ｄに適用することが可能である。この場合には、本考案のボールスポーツ用網は、斜め張り金属管２１、２２に弾性付きロッド３１、３２を挿入するための連接端３１１、３２１を含む。野球練習用網４０ｄの第１エッジ４１と第２エッジ４２とに弾性付きロッド３１、３２を係止することにより、弾性付きロッド３１、３２の曲がりによる均一な引張力によって、野球練習用網４０ｄを均一に引張ることが可能である。
【００３１】
弾性付きロープ５０は、野球練習用網４０ｄの台座１０と斜め張り金属管２１、２２とを挿通している。野球練習用網４０ｄを組付けているときには、弾性付きロープ５０により、組付作業を迅速に完成可能であり、部品を見付ける必要がない。
【００３２】
図８及び図９を参照する。図８は本考案がサッカーゴールに適用された実施例を示す分解斜視図であり、図９は本考案がサッカーゴールに適用された実施例を示す斜視図である。サッカーゴール用網４０ｅのゴールフレームは、複数の金属管４４に複数の弾性付きロッド３３をそれぞれ挿入して構成される。前記ゴールフレームを利用したくない場合には、複数の金属管４４から複数の弾性付きロッド３３をそれぞれ引き出して収納状態にすることが可能である。
【００３３】
弾性付きロッド３１、３２は炭素繊維ロッドでもよい。
【００３４】
弾性付きロッド３１、３２はガラス繊維ロッドでもよい。
【００３５】
弾性付きロッド３１、３２は樹脂ロッドでもよい。
【００３６】
図１０から図１３を参照する。図１０は本考案の別の実施例を示す分解斜視図であり、図１１は本考案の別の実施例を示す斜視図であり、図１２は本考案の別の実施例を示す上面断面図であり、図１３は本考案の別の実施例を示す正面図である。本考案の網エッジ固定構造は、網４０と、二つの挟み片５０と、網挟み皮６０と、固定構造と、を含む。
【００３７】
網４０には、第１エッジ４１と第２エッジ４２とが設けられている。網４０の四辺には、四辺を覆う樹脂シート４３が設けられている。
【００３８】
第１エッジ４１と第２エッジ４２とには、二つの挟み片５０がそれぞれ配されている。挟み片５０により、第１エッジ４１と第２エッジ４２とがそれぞれ挟まれている。
【００３９】
網挟み皮６０は、剛性が高く、二つの挟み片５０、樹脂シート４３、網４０の第１エッジ４１及び第２エッジ４２を固定している。
【００４０】
前記固定構造は、二つ以上の釘７０である。網挟み皮６０には、距離を置いている二つ以上の釘７０が配されている。これらの釘７０により、網挟み皮６０、二つの挟み片５０、樹脂シート４３、網４０の第１エッジ４１及び第２エッジ４２が固定される。二つ以上の釘７０を使用することにより、応力が均一に分散され、網４０の寿命を延長することが可能である。
【００４１】
釘７０は三つあることが好ましい。このように、応力が三つの釘７０に分散されて、網４０の寿命を延長することが可能である。
【００４２】
図１３を参照する。図１３は本考案の別の実施例を示す正面図である。弾性付きロッド３１、３２は、弾性付きロッド３１、３２の曲がりによる引張力により、網挟み皮６０には、網４０を引張る引張力Ａが発生しているため、網４０に抵抗力Ｂが発生している。引張力Ａと抵抗力Ｂとは、三つの釘７０に分散されるため、網４０の寿命を延長することが可能である。
【００４３】
図１４及び図１５を参照する。図１４は本考案の更に別の実施例を示す分解斜視図であり、図１５は本考案の更に別の実施例を示す斜視図である。本考案のボールスポーツ用網は、網４０と、網挟み皮６０と、を含む。網４０には、第１エッジ４１と、第２エッジ４２と、が設けられている。網４０の四辺は樹脂シート４３に包まれている。網挟み皮６０は、剛性が高く、樹脂シート４３への方向に固定構造であるオスベルクロ６１が設けられている。樹脂シート４３の側辺に円筒状エッジ包み１４が設けられている。円筒状エッジ包み１４に樹脂ロッド１５を挿通することが可能である。円筒状エッジ包み１４の外周面には、固定構造であるメスベルクロ１６が設けられている。オスベルクロ６１はメスベルクロ１６に脱着可能に粘着することが可能である。オスベルクロ６１はメスベルクロ１６に粘着して網４０を引張っているときには、オスベルクロ６１とメスベルクロ１６が互いに逆の方向に引張られており、オスベルクロ６１が樹脂ロッド１５の輪郭に沿ってメスベルクロ１６に粘着されているため、粘着面積が広く、引張力が弱められて、オスベルクロ６１とメスベルクロ１６の粘着力が増加する。
【産業上の利用可能性】
【００４４】
本考案は、ボールスポーツ用網に適用することができる。
【符号の説明】
【００４５】
１０  台座
１４  円筒状エッジ包み
１５  樹脂ロッド
１６  メスベルクロ
２１  斜め張り金属管
２２  斜め張り金属管
３１  弾性付きロッド
３２  弾性付きロッド
３３  弾性付きロッド
４０  網
４０ａ  バドミントン用網
４０ｂ  バレーボール用網
４０ｃ  テニス用網
４０ｄ  野球練習用網
４０ｅ  サッカーゴール用網
４１  第１エッジ
４２  第２エッジ
４３  樹脂シート
４４  金属管
５０  挟み片
６０  網挟み皮
６１  オスベルクロ
７０  釘
８０  弾性付きロープ
２１１  裏穴
３１１  連接端
３１２  凹凸皺
３２１  連接端
Ａ  引張力
Ｂ  抵抗力
【図１】
0003186903.tif 000003
【図２】
0003186903.tif 000004
【図３】
0003186903.tif 000005
【図４】
0003186903.tif 000006
【図５】
0003186903.tif 000007
【図６】
0003186903.tif 000008
【図７】
0003186903.tif 000009
【図８】
0003186903.tif 000010
【図９】
0003186903.tif 000011
【図１０】
0003186903.tif 000012
【図１１】
0003186903.tif 000013
【図１２】
0003186903.tif 000014
【図１３】
0003186903.tif 000015
【図１４】
0003186903.tif 000016
【図１５】
0003186903.tif 000017
【手続補正書】
【提出日】平成25年9月4日(2013.9.4)
【手続補正１】
【補正対象書類名】実用新案登録請求の範囲
【補正対象項目名】全文
【補正方法】変更
【補正の内容】
【実用新案登録請求の範囲】
【請求項１】
外側へ斜めに張っている二つの斜め張り金属管と、
連接端がそれぞれ設けられており、前記連接端に前記斜め張り金属管を挿入して固定することが可能な二つの弾性付きロッドと、
第１エッジと第２エッジとが設けられており、前記第１エッジと前記第２エッジを前記二つの弾性付きロッドに嵌め設けることが可能であり、その四辺には、前記四辺を覆う樹脂シートが設けられている網と、
前記樹脂シート、前記第１エッジ及び前記第２エッジを挟む二つの網挟み皮と、
前記各網挟み皮に設けられており、前記網挟み皮、前記樹脂シート、前記第１エッジ及び前記第２エッジを固定するための固定構造と、
を含み、
前記斜め張り金属管の長さは、前記弾性付きロッドの長さより長く、これにより、最高の撓み曲率、最も均一な引張力及び最大の引張力を形成することが可能であり、
前記二つの弾性付きロッドの曲がりによる均一な引張力により、前記網を均一に引張ることが可能であり、
前記固定構造を使用することにより、応力が均一に分散され、前記網の寿命を延長することが可能であることを特徴とするボールスポーツ用網。
【請求項２】
前記網は、バレーボール用網、バドミントン用網、ビーチバレーボール用網、野球練習用網、又はテニス用網であることを特徴とする、請求項１に記載のボールスポーツ用網。
【請求項３】
弾性付きロープは、台座と前記斜め張り金属管とを挿通しており、前記弾性付きロッドと結合しており、前記弾性付きロープにより、前記弾性付きロッドを迅速に脱着することが可能となることを特徴とする、請求項１に記載のボールスポーツ用網。
【請求項４】
前記弾性付きロッドの前記連接端は縮径チューブであり、これにより、前記斜め張り金属管に前記連接端を挿入することが可能であることを特徴とする、請求項１に記載のボールスポーツ用網。
【請求項５】
前記縮径チューブの周面に凹凸皺が複数設けられていることを特徴とする、請求項４に記載のボールスポーツ用網。
【請求項６】
前記弾性付きロッドは炭素繊維ロッドであることを特徴とする、請求項１に記載のボールスポーツ用網。
【請求項７】
前記弾性付きロッドはガラス繊維ロッドであることを特徴とする、請求項１に記載のボールスポーツ用網。
【請求項８】
前記弾性付きロッドは樹脂ロッドであることを特徴とする、請求項１に記載のボールスポーツ用網。
【請求項９】
前記網はサッカーゴール用網であり、前記サッカーゴール用網はゴールフレームを含み、前記ゴールフレームは、複数の金属管に複数の弾性付きロッドをそれぞれ挿入して構成され、前記ゴールフレームを利用したくない場合には、複数の金属管から複数の弾性付きロッドをそれぞれ引き出して収納状態にすることが可能であることを特徴とする、請求項１に記載のボールスポーツ用網。
【請求項１０】
前記網挟み皮の剛性は高いことを特徴とする、請求項１に記載のボールスポーツ用網。
【請求項１１】
二つの挟み片は、前記第１エッジ、又は前記第２エッジを挟んでおり、網挟み皮に挟まれており、少なくとも二つの釘に固定されていることを特徴とする、請求項１に記載のボールスポーツ用網。
【請求項１２】
前記釘は三つあることが好ましく、これにより、応力が前記三つの釘に分散されて、前記網の寿命を延長することが可能であることを特徴とする、請求項１１に記載のボールスポーツ用網。
【請求項１３】
前記第１エッジ又は前記第２エッジに円筒状エッジ包みが設けられており、前記円筒状エッジ包みに樹脂ロッドを挿通することが可能であり、前記円筒状エッジ包みの外周面には、固定構造であるメス側面ファスナーと、前記網挟み皮と、が設けられており、前記網挟み皮は、剛性は高く、前記樹脂シートへの方向に固定構造であるオス側面ファスナーが設けられており、前記オス側面ファスナーは前記メス側面ファスナーに脱着可能に粘着することが可能であり、前記オス側面ファスナーは前記メス側面ファスナーに粘着して前記網を引張っているときには、前記オス側面ファスナーと前記メス側面ファスナーが互いに逆の方向に引張られており、前記オス側面ファスナーが前記樹脂ロッドの輪郭に沿って前記メス側面ファスナーに粘着されているため、粘着面積が広く、引張力が弱められて、前記オス側面ファスナーと前記メス側面ファスナーの粘着力が増加することを特徴とする、請求項１に記載のボールスポーツ用網。
【手続補正２】
【補正対象書類名】明細書
【補正対象項目名】００１８
【補正方法】変更
【補正の内容】
【００１８】
本考案のボールスポーツ用網によると、第１エッジ又は第２エッジに円筒状エッジ包みが設けられており、円筒状エッジ包みに樹脂ロッドを挿通することが可能であり、円筒状エッジ包みの外周面には、固定構造であるメス側面ファスナーと、網挟み皮と、が設けられており、網挟み皮は、剛性は高く、樹脂シートへの方向に固定構造であるオス側面ファスナーが設けられており、オス側面ファスナーはメス側面ファスナーに脱着可能に粘着することが可能であり、オス側面ファスナーはメス側面ファスナーに粘着して網を引張っているときには、オス側面ファスナーとメス側面ファスナーが互いに逆の方向に引張られており、オス側面ファスナーが樹脂ロッドの輪郭に沿ってメス側面ファスナーに粘着されているため、粘着面積が広く、引張力が弱められて、オス側面ファスナーとメス側面ファスナーの粘着力が増加することを特徴とする。
【手続補正３】
【補正対象書類名】明細書
【補正対象項目名】００４３
【補正方法】変更
【補正の内容】
【００４３】
図１４及び図１５を参照する。図１４は本考案の更に別の実施例を示す分解斜視図であり、図１５は本考案の更に別の実施例を示す斜視図である。本考案のボールスポーツ用網は、網４０と、網挟み皮６０と、を含む。網４０には、第１エッジ４１と、第２エッジ４２と、が設けられている。網４０の四辺は樹脂シート４３に包まれている。網挟み皮６０は、剛性が高く、樹脂シート４３への方向に固定構造であるオス側面ファスナー６１が設けられている。樹脂シート４３の側辺に円筒状エッジ包み１４が設けられている。円筒状エッジ包み１４に樹脂ロッド１５を挿通することが可能である。円筒状エッジ包み１４の外周面には、固定構造であるメス側面ファスナー１６が設けられている。オス側面ファスナー６１はメス側面ファスナー１６に脱着可能に粘着することが可能である。オス側面ファスナー６１はメス側面ファスナー１６に粘着して網４０を引張っているときには、オス側面ファスナー６１とメス側面ファスナー１６が互いに逆の方向に引張られており、オス側面ファスナー６１が樹脂ロッド１５の輪郭に沿ってメス側面ファスナー１６に粘着されているため、粘着面積が広く、引張力が弱められて、オス側面ファスナー６１とメス側面ファスナー１６の粘着力が増加する。
【手続補正４】
【補正対象書類名】明細書
【補正対象項目名】００４５
【補正方法】変更
【補正の内容】
【００４５】
１０  台座
１４  円筒状エッジ包み
１５  樹脂ロッド
１６  メス側面ファスナー
２１  斜め張り金属管
２２  斜め張り金属管
３１  弾性付きロッド
３２  弾性付きロッド
３３  弾性付きロッド
４０  網
４０ａ  バドミントン用網
４０ｂ  バレーボール用網
４０ｃ  テニス用網
４０ｄ  野球練習用網
４０ｅ  サッカーゴール用網
４１  第１エッジ
４２  第２エッジ
４３  樹脂シート
４４  金属管
５０  挟み片
６０  網挟み皮
６１  オス側面ファスナー
７０  釘
８０  弾性付きロープ
２１１  裏穴
３１１  連接端
３１２  凹凸皺
３２１  連接端
Ａ  引張力
Ｂ  抵抗力